(57)【要約】【課題】対照溶液と血液サンプルとを判別するシステム及び方法を提供すること。【解決手段】一態様において、本方法は、試験片を用いて、電気化学的試験片と電気的に接続した計器により複数の過渡電流を測定する。この過渡電流を用いて、少なくとも二つの特性に基づいて、サンプルが血液サンプルか対照溶液かを判断する。更に、少なくとも二つの特性に基づいて判別基準を算出する方法、及び血液サンプルと対照溶液とを判別するシステムを提供する。【選択図】図８
2007271623.tif 000002
【特許請求の範囲】
【請求項１】
血液サンプルと対照溶液サンプルとを判別する方法であって、当該方法が、
（ａ）（ｉ）相互に離間して配設された２つの電極と（ｉｉ）試薬とを備えた電気化学的セルにサンプルを導入するステップと、
（ｂ）第１の極性を有する第１試験電位を前記電極間に印加し、第１過渡電流を測定するステップと、
（ｃ）第１の極性を有する第２試験電位を前記電極間に印加し、第２過渡電流を測定するステップと、
（ｄ）第２の極性を有する第３試験電位を前記電極間に印加し、第３過渡電流を測定するステップと、
（ｅ）前記第１過渡電流に基づいて、前記サンプル中のレドックス種量に関する第１基準値を算出するステップと、
（ｆ）前記第２過渡電流及び前記第３過渡電流に基づいて、反応キネティクスに関する第２基準値を算出するステップと、
（ｇ）前記第１基準値及び前記第２基準値に基づいて、前記サンプルが対照溶液であるか血液サンプルであるかを判断するステップを含んでなる方法。
【請求項２】
前記第１基準値が前記サンプル中の干渉物質の濃度と比例する、請求項１記載の方法。
【請求項３】
前記第１基準値が、前記第１過渡電流からの少なくとも一つの電流値に基づいて算出した干渉物質指数である、請求項２記載の方法。
【請求項４】
前記第２基準値が、化学反応の進捗度の関数である、請求項１記載の方法。
【請求項５】
前記第２基準値が、第２過渡電流からの少なくとも一つの電流値と、第３過渡電流からの少なくとも一つの電流値とに基づいて算出した反応残余指数である、請求項４記載の方法。
【請求項６】
前記反応残余指数が、第２電流値と第３電流値の比に基づいて算出される、請求項５記載の方法。
【請求項７】
更に、検体の濃度を測定するステップを含む、請求項１記載の方法。
【請求項８】
前記サンプルが対照溶液であることが認められた場合、前記対照サンプルに関連する前記検体の濃度をフラグ指示することを特長とする請求項７記載の方法。
【請求項９】
前記第２の極性が前記第１の極性と反対である、請求項１記載の方法。
【請求項１０】
ステップ（ｇ）が更に、統計的分類を用いて前記サンプルが対照溶液であるか血液サンプルであるかを判断する、請求項１記載の方法。
【請求項１１】
ステップ（ｇ）において判別線を表す数式を用いて、前記第１基準値及び前記第２基準値を評価する、請求項１記載の方法。
【請求項１２】
更に、前記第１試験電位を印加するステップの前に、第１開回路電位を前記電気化学的セルに印加するステップを含む、請求項１記載の方法。
【請求項１３】
更に、前記第１試験電位を印加するステップの後に、第２開回路電位を前記電気化学的セルに印加するステップを含む、請求項１２記載の方法。
【請求項１４】
血液サンプルと対照溶液サンプルとを判別するシステムであって、当該システムが、
Ａ．試験用計器と接続する電気的接点と、（ｉ）相互に離間して配設された第１電極及び第２電極と（ｉｉ）試薬とを備えた電気化学的セルとを含む試験片と、
Ｂ．前記試験片から電流データを受信するプロセッサと、抗酸化物質濃度及び反応キネティクスに基づいて対照サンプルから血液サンプルを判別するための判別基準を保存したデータ保存部とを含む試験用計器とを含んでなるシステム。
【請求項１５】
前記判別基準が、抗酸化物質濃度を表す干渉物質指数及び反応キネティクスを表す反応残余指数とに基づいて導出される、請求項１４記載のシステム。
【請求項１６】
前記判別基準が、実験により導出された判別線を含む、請求項１５記載のシステム。
【請求項１７】
更に、レドックス種をほとんど含有しない対照溶液を含む、請求項１４記載のシステム。
【請求項１８】
血液サンプルと対照溶液サンプルとを判別する試験用計器にプログラムする判別基準を算出する方法であって、当該方法が、
（ａ）複数の溶液サンプルに関する干渉物質指数と反応残余指数を算出するステップと、
（ｂ）前記複数の溶液サンプルに関する前記干渉物質指数と前記反応残余指数の回帰に基づいて判別基準を算出するステップを含んでなる方法。
【請求項１９】
前記判別基準が判別線である、請求項１８記載の方法。
【請求項２０】
前記方法が更に、複数の血液サンプルに関する干渉物質指数と反応残余指数をグラフ化し、前記判別線を前記複数の血液サンプルの方向にシフトするステップを含む、請求項１９記載の方法。
【請求項２１】
血液サンプルと対照サンプルとを判別する方法であって、当該方法が、
（ａ）（ｉ）相互に離間して配設された２つの電極と（ｉｉ）試薬とを備えた電気化学的セルにサンプルを導入するステップと、
（ｂ）第１の極性を有する第１試験電位を前記電極間に印加し、セル電流を測定するステップと、
（ｃ）前記第１試験電位印加時に測定した少なくとも二つの電流値を合計し、干渉物質指数を生成するステップと、
（ｄ）前記干渉物質指数を用いて、血液サンプルと対照溶液サンプルとを判別するステップとを含んでなる方法。
【請求項２２】
前記第１電位が、約１ｍＶ乃至１００ｍＶの範囲である、請求項２１記載の方法。
【発明の詳細な説明】
【技術分野】
【０００１】
本発明は、対照溶液と血液サンプルとを判別するシステム及び方法に関する。
【背景技術】
【０００２】
生理学的流体（例えば、血液または血漿等の血液誘導生成物等の試験流体）中の検体濃度決定は今日の社会においてその重要性を益々高めつつある。検体濃度測定アッセイは、臨床検査、家庭検査等を含む様々な用途及び状況において有用であることが分かり、これにより得られるそれぞれの試験結果は、種々の病状の診断及び管理において傑出した役割を果たしている。対象とする検体として、糖尿病管理のためのグルコース、心臓血管の状態をモニタするためのコレステロール等が挙げられる。
【０００３】
検体濃度測定アッセイの方法は何れも電気化学に基づく。かかる方法において、水性液体サンプルは、少なくとも二つの電極、即ち基準電極と作用電極を備え、それらの電極は電流測定又は電量測定に適したインピーダンスを有する電気化学的セル内のサンプル反応チャンバに配置される。分析する成分を直接電極と反応させるか、或いは直接的又は間接的に試薬と反応させて、分析する成分、即ち検体の濃度に相当する量の酸化可能な（又は還元可能な）物質を形成する。その後、存在する酸化可能な（又は還元可能な）物質の量を電気化学的に概算し、最初のサンプル中に存在する検体の量と関連付ける。
【発明の開示】
【発明が解決しようとする課題】
【０００４】
例えば、電気化学的試験用計器等の自動装置が、電気化学的サンプル中の検体濃度を測定するため一般的に用いられている。多くの試験用計器には、検体濃度、通常は複数の検体濃度を計器のメモリに保存できる利点がある。この特長により、使用者は、既に収集した検体レベルの平均値として一定の期間にわたり検体濃度のレベルを調べることができ、かかる平均化は計器に付随のアルゴリズムにより行える。しかしながら、そのシステムが適正に機能していることを確認するため、使用者は時折、血液サンプルの代わりに対照流体を用いた試験を行う。かかる対照流体（対照溶液とも呼ばれる）は一般的に、既知のグルコース濃度を有する水性溶液である。使用者は、対照溶液で試験を行い、表示された結果を既知の濃度と比較してシステムが適正に機能しているか否かを判断できる。しかしながら、一旦対照溶液試験を実行すると、対照流体のグルコース濃度レベルは計器のメモリに保存される。このため、使用者が既に行った試験及び／又は既に行った試験の平均濃度を調べようとすると、得られた結果が対照流体の検体レベルの濃度に偏ることがある。
【０００５】
したがって、試験時に対照溶液とサンプル流体とを判別可能であることが望まれる。一つの対策として、対照流体又は試験流体であるかを流体に手作業でフラグ指示（ｆｌａｇ）する手法が挙げられる。しかしながら、使用者の関与を最小化して操作性を向上するため、フラグ指示は自動的に行うことが好ましい。
【０００６】
このため、サンプル中の検体濃度の測定において使用する新しい方法及び装置の開発に関心が寄せられ続けている。特に重要な関心が、サンプルを対照流体又は試験流体として自動的にフラグ指示し、これに従って各測定値を保存又は除外する能力を備えたかかる方法及び装置の開発にある。更に、特に重要な関心が、電気化学的な検体濃度測定アッセイと共に使用することに適したかかる方法の開発にある。
【課題を解決するための手段】
【０００７】
本発明は、広義には血液サンプルと対照溶液とを判別する方法である。本明細書記載の方法の一態様は、電位を印加して電流を測定する試験片を用いた方法である。電流値を用いて、少なくとも一つの特性に基づき、サンプルが血液サンプルであるか、対照溶液であるかを決定する。本明細書は更に、少なくとも二つの特性に基づく判別基準の判別方法を記載する。本明細書は更に、血液サンプルと対照溶液とを判別するシステムを記載する。
【０００８】
本明細書記載の一実施の形態において、血液サンプルと対照溶液サンプルとを判別する方法を開示する。本方法は、第１電極と第２電極を備えた電気化学的セルにサンプルを導入するステップと、第１電極と第２電極間に第１試験電位を印加するステップを含んでなる。こうして生じた第１過渡電流を測定する。次に、第１電極と第２電極間に第２試験電位を印加し、こうして生じた第２過渡電流を測定する。本方法は、更に、第１電極と第２電極間に第３試験電位を印加して、第３過渡電流を測定するステップを含むことができる。
【０００９】
第１過渡電流に基づき、サンプル中のレドックス種の量に関する第１基準値を算出する。更に、第２及び第３過渡電流に基づき、反応キネティクスに関する第２基準値を算出する。次に、第１及び第２基準値を用いて、サンプルが対照サンプルであるか、血液サンプルであるかを判断する。
【００１０】
一態様において、第１基準値は、サンプル中の干渉物質の濃度に比例する。例えば、第１基準値として、第１過渡電流からの少なくとも一つの電流値に基づいて算出した干渉物質指数を用いることができる。第２基準値は、化学反応の進捗度の関数でもよい。例えば、第２基準値として、第２過渡電流からの少なくとも一つの電流値と第３過渡電流からの少なくとも一つの電流値に基づいて算出した反応残余指数を用いることができる。一態様において、反応残余指数は、第２電流値及び第３電流値の比にもとづいて算出する。
【００１１】
他の態様において、本方法は、サンプル中の検体濃度を測定するステップを実行できる。サンプルが血液サンプルであると認められた場合、測定した濃度を保存できる。反対に、サンプルが対照サンプルであると認められた場合、測定した濃度をグラフ指示して、別個に保存し、及び／又は廃棄できる。
【００１２】
一実施の形態において、統計的分類を用いてサンプルが対照溶液であるか血液サンプルであるかを判断できる。例えば、実験により導き出した判別線を表す数式を用いて、第１基準値及び第２基準値を評価できる。
【００１３】
他の態様において、第１試験電位を印加するステップの前に開回路電位を電気化学的セルに印加する。更に、第１試験電位を印加するステップの後に開回路電位を電気化学的セルに印加できる。
【００１４】
本明細書はさらに、血液サンプルと対照溶液サンプルとを判別する、試験片と試験用計器とを含んでなるシステムを説明する。試験片は、試験用計器と接続する電気的接点と電気化学的セルを含む。試験用計器は、試験片からの電流データを受信するプロセッサと、抗酸化物質濃度及び反応キネティクスに基づいて対照サンプルから血液サンプルを判別するための判別基準を保存したデータ保存部とを含む。判別基準は、抗酸化物質濃度を表す干渉物質指数と反応キネティクスを表す反応残余指数から導出できる。例えば、判別基準は、実験より導き出した判別線を含んでもよい。本システムは更に、レドックス種をほとんど含有しない対照溶液を含むことができる。
【００１５】
本明細書は更に、判別基準を算出する方法を記載する。判別基準は、血液サンプルと対照溶液サンプルとを判別する試験用計器にプログラムできる。一実施の形態において、本方法は、複数の対照溶液サンプルに関する干渉物質指数と反応残余指数とを算出し、複数の対照溶液サンプルに関する干渉物質指数と反応残余指数の回帰に基づいて判別基準を算出するステップを含む。
【００１６】
一態様において、判別基準は判別線である。例えば、本方法は、複数の血液サンプルに関する干渉物質指数と反応残余指数をグラフ化し、算出した判別線を複数の血液サンプルの方向にシフトするステップを含むことができる。
【発明を実施するための最良の形態】
【００１７】
本発明の方法および装置は、種々多様なサンプル中の種々多様な検体の測定に使用するのに適しており、特に対象となる検体がグルコースである場合に、全血またはその誘導物中の検体を測定するのに特に適している。一実施の形態において、本発明は、試験片に対照溶液を塗布したか、或いは血液を塗布したかを判断する試験用計器用の方法を提供する。一態様において、少なくとも二つの特性を用いて血液サンプルであるか対照溶液であるかを判別する。本明細書では、本明細書内で開示する方法及びシステムと共に使用可能な代表的な実施の形態の試験片の構造について説明する。更に、本明細書では、少なくとも二つの特性に基づく判別基準の算出方法について説明する。更に、本明細書では、血液サンプルと対照溶液を判別するシステムについて説明する。
【００１８】
本方法は原則的に、相互に離間した第１及び第２電極と試薬層を有する如何なる種類の電気化学的セルと共に使用可能である。例えば、電気化学的セルは、試験片の形態でもよい。一態様において、試験片は、薄いスペーサ層により分離された２本の対向する電極を有し、これらの構成要素は試薬層が形成されるサンプル反応チャンバまたはゾーンを画成する。当業者には、例えば、同一平面上の電極を有する試験片など、この他の種類の試験片も本明細書記載の方法と共に使用可能であることは明らかである。
【００１９】
図１Ａから図４Ｂを参照して、本方法との使用に適した代表的な試験片６２について説明する。試験片６２は、近端部８０から遠端部８２へ延在し、側縁部５６、５８を有する伸長体を含むことができる。試験片本体５９の近端部分は、電極及び試薬を有する反応チャンバ６１を含むことができ、試験片本体５９の遠端部分は、試験用計器と電気的に接続する機能部を含むことができる。生理学的流体又は対照溶液を反応チャンバ６１に送出し、電気化学的に分析することができる。
【００２０】
図示された実施の形態において、試験片６２は、第１電極層６６、第２電極層６４、及びそれらの間に位置するスペーサ層６０とを有する。第１電極層６６には第１電極１６６と、第１電極１６６を第１電気的接点６７と電気的に接続する第１接続トラック７６を設けることができる。同様に、第２電極層６４には第２電極１６４と、第２電極１６４を第２電気的接点６３と電気的に接続する第２接続トラック７８を設けることができる。
【００２１】
一実施の形態において、サンプル反応チャンバ６１は、図１Ａから図４Ｂに示すように、第１電極１６６、第２電極１６４及びスペーサ６０により画成される。具体的には、第１電極１６６と第２電極１６４はそれぞれ、サンプル反応チャンバ６１の底部と頂部を画成する。スペーサ６０の切り欠き領域６８は、サンプル反応チャンバ６１の側壁を画成する。一態様において、反応チャンバ６１は、更に、サンプル注入口及び／又は通気口となる出入口を有することができる。例えば、出入口の一つを流体サンプル注入口、他の出入口を通気口とすることができる。
【００２２】
反応チャンバ６１の容積は縮小できる。一実施の形態において、容積は、約０．１μｌ（ｍｉｃｒｏｌｉｔｅｒ）乃至約５μｌの範囲、好ましくは、約０．２μｌ乃至約３μｌの範囲、より好ましくは、約０．３μｌ乃至約１μｌの範囲とすることができる。サンプル容量を縮小するため、切り欠き領域６８は、約０．０１ｃｍ２乃至約０．２ｃｍ２、好ましくは約０．０２ｃｍ２乃至約０．１５ｃｍ２、より好ましくは約０．０３ｃｍ２乃至約０．０８ｃｍ２の範囲とすることができる。更に、第１及び第２電極１６６、１６４の離間距離は、約１ミクロン乃至約５００ミクロンの範囲、好ましくは、約１０ミクロン乃至約４００ミクロンの範囲、より好ましくは、約４０ミクロン乃至約２００ミクロンの範囲とすることができる。このように電極同士が近接していることから、第１電極１６６に生成された酸化された媒介物質が第２電極１６４へ拡散し、還元され、続いて第１電極１６６へ戻り、再酸化されるというレドックス循環が発生しうるようになる。
【００２３】
試験片伸長体５９の遠端部８２では、第１電気的接点６７を用いて試験用計器と電気的に接続できるようになっている。第２電気的接点６３は、図２に示すように、Ｕ字形状切り込み部６５を介して試験用計器が接触できるようになっている。当業者には、試験片６２が、試験用計器と電気的に接続するように構成された種々の代替の電気的接点を具備できることは明らかである。例えば、参照によりその全開示内容が本明細書に援用される、米国特許第６，３７９，５１３号には、電気化学セル接続手段が開示されている。
【００２４】
一実施の形態において、第１電極層６６及び／又は第２電極層６４は、金、パラジウム、炭素、銀、白金、酸化スズ、イリジウム、インジウム及びそれらの混合物（例えば、インジウムをドープした酸化スズ）などの材料からなる導電性材料で形成できる。更に、電極は、スパッタリング、無電解メッキ又はスクリーン印刷処理により導電性材料を絶縁シート（図示されてない）に付着（ｄｉｓｐｏｓｉｎｇ）させて形成できる。代表的な一実施の形態において、第２電極層６４を金をスパッタした電極とし、第１電極層６６をパラジウムをスパッタした電極とすることができる。スペーサ層６０に使用できる好適な材料として、例えば、プラスチック類（例えば、ＰＥＴ、ＰＥＴＧ、ポリイミド、ポリカーボネート、ポリスチレン）、シリコン、セラミック、ガラス、接着剤及びそれらの組合せ等、種々の絶縁材料が挙げられる。
【００２５】
試薬層７２は、スロットコーティング、チューブ端からの塗布、インクジェット処理及びスクリーン印刷などの処理を用いて反応チャンバ６１内に形成できる。かかる処理については、例えば、参照によりその全開示内容が本明細書に援用される、米国特許第６，７４９，８８７号、６，６８９，４１１号、６，６７６，９９５号及び６，８３０，９３４号に記載している。一実施の形態において、試薬層７２は、少なくとも一つの媒介物質及び酵素を含み、第１電極１６６に付着している。好適な媒介物質の例として、フェリシアニド、フェロセン、フェロセン誘導物、オスミウムビピリジル錯体及びキノン誘導物が挙げられる。好適な酵素の例として、グルコースオキシダーゼ、ピロロキノリンキノン（ＰＱＱ）補助因子をベースとしたグルコースデヒドロゲナーゼ（ＧＤＨ）、ニコチンアミドアデニンジヌクレオチド補助因子をベースとしたＧＤＨ及びＦＡＤをベースとしたＧＤＨが挙げられる［Ｅ．Ｃ．１．１．９９．１０］。試薬層７２を生成するために好適であろう一代表的な試薬配合物については、参照によりその全開示内容が本明細書に援用される、「滅菌され、較正されたバイオセンサーベースの医療デバイスの製造方法」と題した係属中の米国特許出願第１０／２４２，９５１号、米国特許公開番号第２００４／０１２０８４８号に記載している。
【００２６】
第１電極１６６又は第２電極１６４の何れかは、試験用計器が印加する試験電位の極性に応じて限界量の媒介物質を酸化又は還元する作用電極の機能を実行できる。例えば、電流を制限する種が還元された媒介物質である場合、第２電極１６４に対して十分に大きな正の電位が印加されていれば、還元された媒介物質を第１電極１６６で酸化できる。かかる状況において、第１電極１６６は作用電極の機能を実行し、第２電極１６４は対向／基準電極の機能を実行する。試験片６２について特に指定のない限り、試験用計器１００により印加される全ての電位の記載は、第２電極１６４を基準とするものとする。
【００２７】
同様に、第２電極１６４に対して十分に大きな負の電位が印加されていれば、還元された媒介物質は第２電極１６４で酸化できる。かかる状況において、第２電極１６４は作用電極の機能を実行し、第１電極１６６は対向／基準電極の機能を実行する。
【００２８】
本方法の第１のステップは、所定の量の対象とする流体サンプルを、第１電極１６６、第２電極１６４及び試薬層７２を具備した試験片６２に導入するステップを有する。流体サンプルとして、全血、その誘導物又はフラクション、又は対照溶液等が可能である。流体サンプル、例えば、全血は注入口７０を介してサンプル反応チャンバ６１に投与される。一態様において、注入口７０及び／又は反応チャンバ６１は、毛細管現象により流体サンプルをサンプル反応チャンバ６１に満たすようになっている。
【００２９】
図５は、試験片６２の第１電極１６６及び第２電極１６４とそれぞれ電気的に接続する、第１電気的接点６７及び第２電気的接点６３と接する試験用計量器１００の簡略図である。試験用計量器１００は、第１電極１６６及び第２電極１６４と、それぞれ第１電気的接点６７及び第２電気的接点６３を介して電気的に接続するようになっている（図２および図５を参照）。種々の既知の試験用計器を本明細書記載の方法と共に用いることができる。しかしながら、一実施の形態において、試験用計量器は、血液と対照サンプルの判別に関する計算を実行する少なくとも一つのプロセッサとデータ保存部とを含む。
【００３０】
図５に示すように、電気的接点６７は、６７ａ及び６７ｂと付された２本のプロング（ｐｒｏｎｇ）を有することができる。代表的な一実施の形態において、試験用計量器１００は、試験用計量器１００が試験片６２と接する際に、回路が完結するように、プロング６７ａ、６７ｂと別々に接続する。試験用計量器１００は、プロング６７ａ及び６７ｂ間の抵抗又は電気的導通を測定して、試験片６２が試験用計量器１００と電気的に接続しているか否かを判断できる。当業者には、試験用計量器１００は、様々なセンサ及び回路を用いて、試験片６２が試験用計量器１００に対して適切に配置されているか否かを判断できることは明らかである。
【００３１】
一実施の形態において、試験用計器１００は、試験電位及び／または電流を第１電気的接点６７及び第２電気的接点６３の間に発生せられる。一旦試験用計器１００が試験片６２が挿入されたことを認識すると、試験用計器１００はオンとなり、流体検出モードが始動する。一実施の形態において、流体検出モードでは、試験用計器１００は第１電極１６６と第２電極１６４間に１μＡ（ｍｉｃｒｏａｍｐｅｒｅ）の定電流を流すことができる。試験片６２は最初乾燥しているため、試験用計量器１００は、試験用計量器１００内のハードウェアにより制限された最大電圧を測定する。しかしながら、一旦生理学的サンプルが使用者により注入口７０に投与されると、サンプル反応チャンバ６１は満ちる。生理学的サンプルが第１電極１６６と第２電極１６４間の間隙を満たすと、試験用計量器１００は、所定の閾値を下回る測定電圧の低下を測定し（例えば、米国特許第６，１９３，８７３号参照）、自動的にグルコース試験を開始する。
【００３２】
測定電圧が所定の閾値を下回り得るのはサンプル反応チャンバ６１の一部が満ちた場合に限ることに留意されたい。上記方法において、自動的に流体の付着を認識したとしても、サンプル反応チャンバ６１内の流体の存在を確認できるだけであって、サンプル反応チャンバ６１が完全に満ちていることを示すとは必ずしも限らない。一旦試験用計器１００が、流体が試験片６２に付着したと判断してから、生理学的流体がサンプル反応チャンバ６１を完全に満たすまで、短い時間であるが、限られた時間の経過を要することがある。
【００３３】
一実施の形態において、一旦試験用計器１００が、流体が試験片６２に投与されたと判断すると、試験用計量器１００は、図６に示すように、複数の開回路電位と複数の試験電位をそれぞれ所定の時間期間印加することにより、グルコース試験を実行することができる。グルコース試験時間期間ＴＧは、グルコース試験を実行する時間量を示し（但し、グルコース試験に関連する全算出期間とは限らない）、グルコース試験時間期間ＴＧは、第１開回路時間期間ＴＯＣ１、第１試験電位時間期間Ｔ１、第２開回路時間期間ＴＯＣ２、第２試験電位時間期間Ｔ２及び第３試験電位時間期間Ｔ３を含むことができる。グルコース試験時間期間ＴＧは、約１秒乃至約５秒の範囲とすることができる。２つの開回路時間期間と３つの試験電位時間期間について説明したが、当業者には、グルコース試験時間期間は、異なる数の開回路時間期間及び試験電位時間期間を有してもよいことは明かである。例えば、グルコース試験時間期間は、１つの開回路時間期間及び／又は２つの試験電位時間期間のみを有してもよい。
【００３４】
一旦グルコースアッセイを開始すると、試験用計器１００は、第１開回路電位時間期間ＴＯＣ１、図示された実施の形態では約０．２秒、第１開回路に切替える。他の実施の形態において、第１開回路電位時間期間ＴＯＣ１は、約０．０５秒乃至約２秒の範囲でよく、好ましくは約０．１秒乃至約１．０秒の範囲でよく、最も好ましくは約０．１５秒乃至約０．６秒の範囲でもよい。
【００３５】
第１開回路を実施する理由の一つは、サンプル反応チャンバ６１をサンプルで満たす、或いは部分的に満たすために十分な時間を提供することにある。通常、周囲温度（即ち２２℃）で、サンプル反応チャンバ６１を血液で完全に満たすためには約０．１秒乃至約０．５秒要する。反対に、粘度が約１から約３センチポアズとなるように配合された対照溶液であれば、周囲温度（即ち２２℃）で、約０．２秒以内でサンプル反応チャンバ６１を完全に満たせる。
【００３６】
対照溶液は、既知の成分から成り、ほぼ均一であるのに対し、血液サンプルは、その構造及び／又は組成が変動し得る。例えば、ヘマトクリット値の高い血液サンプルは、ヘマトクリット値の低い血液サンプルより粘度が低いため、ヘマトクリット値の高い血液サンプルは、ヘマトクリット値の低い血液サンプルよりチャンバの充填に長い時間を要する。このように、血液サンプルの充填時間は種々の要因に応じて、変動しうる。
【００３７】
第１開回路電位を印加後、試験用計器１００は、第１試験電位Ｅ１（例えば、図６では−０．３ボルト）を第１試験電位時間期間Ｔ１（例えば、図６では０．１５秒）にわたり第１電極１６６と第２電極１６４の間に印加する。試験用計器１００は、これにより生じる、図７でｉａ（ｔ）と示される第１過渡電流を測定する。一実施の形態において、第１試験電位時間期間Ｔ１は、約０．０５秒乃至約１．０秒の範囲でよく、好ましくは約０．１秒乃至約０．５秒の範囲でよく、最も好ましくは約０．１秒乃至約０．２秒の範囲でよい。
【００３８】
上述のように、本明細書で説明する方法は、第１過渡電流の一部又は全てを用いて、試験片６２に付着したのは対照溶液であるか或いは血液であるかを判別できる。第１過渡電流の大きさは、サンプル中の酸化しやすい物質の存在が原因となっている。血液は通常、第２電極１６４で容易に酸化される内因性及び外因性化合物を含有する。反対に、対照溶液は、酸化可能な化合物を含有しないように配合できる。しかしながら、血液サンプル組成物は変動可能であり、サンプル反応チャンバ６１は０．２秒後では未だ完全に満たされてない可能性があるため、粘度の高い血液サンプルの第１過渡電流の大きさは粘度の低いサンプル（一部のケースでは対照溶液サンプルを下回る）より小さくなる。完全に充填されてない場合、第１電極１６６及び第２電極１６４の有効面積は減少し、これにより、第１過渡電流が低下する。血液サンプルにはバラツキがあることから、サンプル中の酸化可能な物質の存在自体が十分な判別要因となるとは限らない。
【００３９】
試験用計器１００は、第１試験電位Ｅ１の印加を停止後、第２開回路電位時間期間ＴＯＣ２、この場合、図６に示すように約０．６５秒、第２開回路に切替える。他の実施の形態において、第２開回路時間期間ＴＯＣ２は、約０．１秒乃至約２．０秒の範囲でよく、好ましくは約０．３秒乃至約１．５秒の範囲でよく、最も好ましくは約０．５秒乃至約１．０秒の範囲でよい。
【００４０】
第２開回路を実施する理由の一つは、サンプル反応チャンバ６１が完全に満たされ、試薬層７２が溶解し、還元された媒介物質及び酸化された媒介物質が第１試験電位Ｅ１により生じた摂動から、それぞれ第１電極１６６及び第２電極１６４において再び釣り合うまでの十分な時間を設けることにある。サンプル反応チャンバ６１が迅速に満ちるとしても、第２開回路時間期間ＴＯＣ２は、周囲温度が低い場合（例えば約５℃）やヘマトクリット値が高い（例えば、ヘマトクリット値が６０％を越える）場合など、充填時間が長くなる状態も考慮して、十分に長くできる。
【００４１】
第１試験電位Ｅ１の印加時、還元された媒介物質は第２電極１６４では枯渇したが、第１電極１６６で生成されたため、濃度勾配が生じる。第２開回路電位は、還元された媒介物質の濃度分布が、第１試験電位Ｅ１を印加した直後の状態に近くなる時間を提供する。以下に説明するが、グルコース濃度を干渉物質の存在下で算出できることから、第２開回路電位を十分に長く設けることが有用である。
【００４２】
代替の実施の形態では、試験片がサンプルで充填されたことを計器が検出した時から、第２試験電位Ｅ２を印加するまでの時間内、試験電位Ｅ１´を電極間に印加できる。一態様において、試験電位Ｅ１´は小さい。例えば、電位は、約１ｍＶ乃至１００ｍＶの範囲でよく、好ましくは約５ｍＶ乃至約５０ｍＶの範囲でよく、最も好ましくは約１０ｍＶ乃至約３０ｍＶの範囲とできる。電位が小さい程、大きな電位を印加した場合と比較して、還元された媒介物質の濃度勾配の摂動範囲は小さくなるが、サンプル内に存在する酸化可能な物質の測定値を得るためには依然として十分である。電位Ｅ１´は、充填が検出されてからＥ２を印加するまでの時間期間の一部、或いはその全時間期間印加できる。時間期間の一部にＥ１´を用いる場合は、残りの時間期間は開回路を印加できる。サンプル内の酸化可能な物質の存在及び／又は数量を示す電流計測値を得るために少量の電位Ｅ１´を印加する期間が全体で十分であれば、開回路電位と少量の電位の印加の回数、その順番及び印加時間を組み合わせは、本実施の形態において重要でない。好ましい実施の形態において、小電位Ｅ１´は、充填が検出されてからＥ２を印加するまでの全期間にわたり印加する。
【００４３】
一旦、第２開回路時間期間ＴＯＣ２又は、小電位Ｅ１´を印加する実施の形態においては等価な時間が経過した後、試験用計器１００は、第２試験電位Ｅ２を第２試験電位時間期間Ｔ２にわたり第１電極１６６及び第２電極１６４の間に印加する。第２試験電位時間期間Ｔ２の間、試験用計器１００は、ｉｂ（ｔ）で示される第２電流過度を測定できる。第２試験電位時間期間Ｔ２が経過すると、試験用計器１００は、第３試験電位Ｅ３第３試験電位時間期間Ｔ３にわたり第１電極１６６及び第２電極１６４の間に印加し、ｉｃ（ｔ）で示される第３電流過度を測定できる。第２試験電位時間期間Ｔ２及び第３試験電位時間期間Ｔ３は、それぞれ、約０．１秒乃至約４秒の範囲とすることができる。図６に示す実施の形態において、第２試験電位時間期間Ｔ２は３秒で、第３試験電位時間期間Ｔ３は１秒であった。上述したように、一態様において、第２試験電位Ｅ２を印加してから第３試験電位Ｅ３を印加するまでの間に開回路電位時間期間が経過できるようにする。或いは、第３試験電位Ｅ３を第２試験電位Ｅ２の印加直後に印加できる。第１、第２又は第３過渡電流の一部を、一般的にセル電流または電流値と呼ぶことができることに留意されたい。
【００４４】
一実施の形態において、第１試験電位Ｅ１及び第２試験電位Ｅ２は両方とも第１の極性を有し、第３試験電位Ｅ３は、第１の極性と反対の第２の極性を有する。しかしながら、当業者には、検体濃度を測定する方法及び／又は試験サンプルと対照溶液を判別する方法に応じて、第１、第２及び第３試験電位の極性を選択できることは明かである。反対に、第３試験電位Ｅ３は、限界酸化電流が測定される作用電極として第１電極１６６が機能するように、第２電極１６４に対して十分に正の大きさを持つことができる。限界酸化は、酸化可能な種が作用電極表面で局所的に全て枯渇し、酸化電流の測定値がバルク溶液から作用電極面の方向へ拡散する酸化可能な種の流れに比例するようになった時に発生する。ここで「バルク溶液」とは、酸化可能な種が枯渇ゾーン内に存在しなくなった作用電極から十分に離れた溶液の一部を意味する。第１試験電位Ｅ１、第２試験電位Ｅ２及び第３試験電位Ｅ３は、スパッタリングした金又はパラジウムの何れかの作用電極とフェリシアニド媒介物質を用いた場合、約−０．６ボルト乃至約＋０．６ボルトの範囲とすることができる（第２電極１６４に対して）。
【００４５】
図７に、対照溶液サンプル（点線）又は血液サンプル（実線）の何れかを用いて試験用計器１００及び試験片６２により測定された第１、第２及び第３過渡電流を示す。対照溶液サンプルは５２５ｍｇ／ｄＬの濃度のグルコースを含み、血液サンプルは、ヘマトクリット値が２５％で、５３０ｍｇ／ｄＬの濃度のグルコースを含んでいた。図８に、図７の第１及び第２過渡電流の拡大図を示す。図７及び図８に、図６に示す電位波形を印加した結果として生じた過渡電流を示す。以下に、過渡電流を試験溶液又は対照溶液に関する正確なグルコース測定値に変換可能な方法について説明する。
【００４６】
試験片が、図１Ａから図４Ｂに示す対向する面又は対向する構成を有し、図６に示す電位波形を試験片に印加すると仮定すると、グルコース濃度は、以下の数式１に示すグルコースアルゴリズムを用いて算出できる。
【数１】
2007271623.tif 000003
【００４７】
数式１において、［Ｇ］はグルコース濃度であり、ｉ１は第１電流値、ｉ２は第２電流値、ｉ３は第３電流値、ｐ、Ｚ及びａは実験により導かれた較正定数を表す。数式１の導出方法については、参照によりその全開示内容が本明細書に援用される、２００５年９月３０日に出願された「迅速な電気化学的分析方法及び装置」と題した係属中の米国特許出願第１１／２４０，７９７号（代理人整理番号１０４９７８−２６５；ＬＦＳ−５０７３）に記載している。第１電流値ｉ１及び第２電流値ｉ２は第３電流過度から算出し、第３電流値ｉ３は第２電流過度から算出する。「第１」、「第２」及び「第３」という名称を便宜上用いたが、当業者にはこれが電流値を算出する順番を反映すると限らないことは明らかである。更に、数式１記載の全ての電流値（例えば、ｉ１、ｉ２及びｉ３）には、電流の絶対値を用いる。
【００４８】
本発明の他の実施の形態において、ｉ１は、干渉物質の存在下でより正確なグルコース濃度を測定するため、数式２に示すように、第２及び第３過渡電流からのピーク電流値を含むように定義できる。
【数２】
2007271623.tif 000004
【００４９】
ｉｐｂは、第２試験電位時間期間Ｔ２のピーク電流値を表し、ｉｐｃは、第３試験電位時間期間Ｔ３のピーク電流値を表す。ｉｓｓは、第３試験電位Ｅ３印加後に発生する定常電流である。数式２を用いる場合、第２開回路電位時間期間ＴＯＣ２は、数式２が干渉物質の存在を補償できるように十分長いことが好ましい。第２開回路電位時間期間ＴＯＣ２が短すぎると、第２ピーク電流値ｉｐｂが歪み、干渉物質補正計算の有効性が低下する可能性がある。生理学的サンプル中の干渉物質を考慮したピーク電流値の使用法については、参照によりその全開示内容が本明細書に援用される、「干渉物質の存在下でサンプルを分析する方法及び装置」と題した、特許出願（代理人整理番号１０４９７８−３２３；ＬＦＳ−５１０９）に記載している。
【００５０】
本発明の一実施の形態において、数式１及び数式２を共に用いて、血液又は対照溶液の何れかのグルコース濃度を算出できる。本発明の他の実施の形態において、血液には数式１及び数式２のアルゴリズムと第１群の較正係数（即ち、ａ、ｐ及びＺ）を用い、対照溶液には第２群の較正係数を用いることができる。２つの異なる群の較正係数を用いることにより、試験流体と対照溶液とを判別する本明細書記載の方法は、検体濃度算出の有効性を向上できる。
【００５１】
更に、試験用計器がサンプルの種類が対照溶液であると判断した場合、試験用計器は得られた対照サンプルのグルコース濃度を保存し、使用者が試験サンプルの濃度データを対照溶液データとは別に調べられるようにできる。例えば、対照溶液のグルコース濃度を別のデータベースに保存し、フラグ指示し、及び／又は廃棄できる（即ち、保存しないか、或いは短期間保存する）。
【００５２】
対照溶液を認識できる他の利点は、試験用計器を、自動的に対照溶液の試験結果（即ち、グルコース濃度）と、対照溶液のグルコース濃度期待値を比較するようにプログラムできることである。例えば、試験用計器を対照溶液のグルコースレベル期待値で再プログラムできる。或いは、使用者は対照溶液のグルコース濃度期待値を入力できる。試験用計器は対照溶液を認識すると、対照溶液のグルコース濃度測定値をグルコース濃度期待値と比較し、計器が正常に機能しているか判断できる。グルコース濃度測定値が期待値の範囲から外れた場合、試験用計器は、メッセージを発し、使用者に警告できる。
【００５３】
一実施の形態において、本明細書記載の方法は、レドックス種の存在を利用して、対照溶液を血液サンプルから判別する。本方法は、第１試験電位Ｅ１´を印加し、試験電位印加時に測定された一つ以上の電流値を判別要素として用いるステップを含むことができる。一態様では、第１試験電位Ｅ１´からの２つの電流値を合計し、判別要素として用いる。図８に、対照溶液、血漿、ヘマトクリット値が４８％の血液サンプル、及びヘマトクリット値が７７％の血液サンプルのデータを示す。２０ｍＶの電位を最初の１秒間印加し、０．２から０．５秒間の電流値を合計した。図８に示すように、電流値の合計値は、対照溶液（干渉物質をほとんど含有しない）と血液サンプルを判別するのに十分であった。
【００５４】
他の実施の形態では、対照溶液の二つの特性、即ち、サンプル中のレドックス種の存在及び／又は濃度と反応キネティクス、を用いて対照溶液と血液を判別する。本明細書に開示する方法は、サンプル中のレドックス濃度を示す第１基準値と、サンプルの試薬との反応速度を示す第２基準値を算出するステップを含むことができる。一実施の形態において、第１基準値は、干渉物質の酸化電流であり、第２基準値は反応完了百分率である。
【００５５】
サンプル中のレドックス種については、血液は通常、アスコルビン酸及び尿酸等の様々な内因性レドックス種、即ち内因性「干渉物質」と共に、ゲンチシン酸（ゲンチシン酸はアスピリンの代謝物）等の外因性由来の干渉物質を含有している。内因性干渉物質は、電極で容易に酸化できる化学種であり、通常、生理学的な範囲内で健常人の血液中に存在する。外因性由来の干渉物質もまた、電極で容易に酸化できる化学種であるが、摂取、注射、吸引等により体内に取り込まない限り、通常は血液中に存在することはない。
【００５６】
対照溶液は、抗酸化物質をほとんど含まないか、或いは血液サンプル中の干渉物質濃度と比較して高い干渉物質濃度を有する。対照溶液が抗酸化物質をほとんど含まない場合、第１過渡電流は、図９に示すように、第１過渡電流の大きさは血液サンプルよりも対照溶液の方が小さくなる。対照溶液が比較的高い干渉物質濃度を有する場合、第１過渡電流は血液サンプルよりも対照溶液の方が大きくなる（データは示されてない）。
【００５７】
干渉物質指数を第１過渡電流内の電流値に基づいて算出できる。一実施の形態において、干渉物質指数は、第１過渡電流時の２つの時点の電流値の合計としてもよい。一例では、０．３秒及び０．３５秒の電流値を使用できる。充填が検出された時からＥ２迄の全期間で電位Ｅ１´が印加される他の実施の形態では、干渉物質指数は、より長い期間、例えば、０．２秒から０．５秒にわたる２つの値を合計して求めることが好ましい。
【００５８】
一般的に、干渉物質指数は、干渉物質濃度に比例し、グルコース濃度にはほとんど依存しない。したがって、理論的には、試験用計器は、干渉物質指数に基づいてサンプルが血液か対照溶液かを判断できる。しかしながら、実際、干渉物質指数のみを用いた場合、血液と対照溶液とを十分に判別できない。通常、干渉物質濃度は血液の方がはるかに大きいが、いくつかの状態において、対照溶液と比較して血液の方に第１過渡電流の減衰が生じることがある。これらの状態として、グルコース濃度が高い、ヘマトクリット値が高い、温度が低い、サンプル反応チャンバ６１の充填が不完全、などが挙げられる。このため、一実施の形態において、試験用計器が血液と対照溶液の判別を十分に行えるよう、追加の係数を用いる。
【００５９】
血液と対照溶液の判別を支援するために用いる追加の係数として、十分な時間が与えられていたら反応したであろう残余基質の百分率を表す関数である反応残余指数が可能である。反応残余指数は、反応速度が高いと基質を反応し尽くせることから、反応速度と関連する。しかしながら、反応残余指数はまた、初期の基質濃度の大きさにも依存する。
【００６０】
試薬層７２は、ＰＱＱ補助因子をベースとしたグルコースデヒドロゲナーゼ（ＧＤＨ）及びフェリシアニドを含むことができる。血液又は対照溶液がサンプル反応チャンバ６１に投与されると、グルコースはＧＤＨ（ｏｘ）により酸化され、この処理により、ＧＤＨ（ｏｘ）は数式３に示すようにＧＤＨ（ｒｅｄ）に転化する。ここで、ＧＤＨ（ｏｘ）はＧＤＨの酸化された状態を示し、ＧＤＨ（ｒｅｄ）はＧＤＨの還元された状態を示すことに留意されたい。
【数３】
2007271623.tif 000005
【００６１】
次に、ＧＤＨ（ｒｅｄ）は、数式４に示すように、フェリシアニド（即ち、酸化された媒介物質、又はＦｅ（ＣＮ）６３−）により活性化した酸化状態に戻る。ＧＤＨ（ｏｘ）を再生する処理において、数式４に示すように、フェロシアニド（即ち、還元された媒介物質、又はＦｅ（ＣＮ）６４−）がこの反応により生成される。
【数４】
2007271623.tif 000006
【００６２】
一般的に数式３及び数式４に基づくグルコース摂取速度は、対照溶液の方が血液より速い。通常、対照溶液は血液より粘度が低いため、数式３及び数式４の反応速度は対照溶液の方が速くなる。更に、数式３の反応に関与するためには血液サンプル中に存在するグルコースの一部が赤血球から拡散する必要があり、このことからも対照溶液の方が反応速度は速くなる。このグルコースが赤血球から拡散する追加的なステップは、反応速度を無視できない程度まで低下させる。図９から、第２過渡電流の全体的な傾きの絶対値は血液サンプルの方が低い（例えば、１．２秒から４秒迄）ことは明らかであり、これは対照溶液より血液の方が反応速度が遅いことを示している。血液と比較して対照溶液の反応速度が速いことから、対照溶液の反応残余指数は、血液より一般的に低くなる。
【００６３】
反応残余指数は、消費されてないグルコースの百分率に関する数字となる。反応残余指数が比較的低い場合、数式３及び数式４の反応は完了に近いことを示す。これに対して、反応剰余指数が比較的高い場合、反応が完了に程遠いことを示す。一実施の形態において、反応残余指数は、第３過渡電流の電流値を第２過渡電流の電流値で除した比の絶対値とできる。
【数５】
2007271623.tif 000007
【００６４】
数式５の分母として、第２過渡電流の３．８秒の電流値を用いる。実験により３．８秒を選択したが、当業者には、他の電流値を用いることができることは明らかである。一実施の形態では、第２過渡電流の終端方向の電流値を選択する。第２過渡電流時間期間Ｔ２時、還元された媒介物質は第２電極１６４で酸化される。第２過渡電流時間期間Ｔ２時に測定される電流値は、第１電極１６６で試薬層７２により生成された後、第２電極１６４へ拡散し、酸化されたフェロシアニドに起因した。ここで、試薬層７２は、血液中に溶解した後も第１電極１６６近傍に残留し、試薬層７２により生成されたフェロシアニドの大部分もまた、第１電極１６６の近くに存在すると仮定する。こうして生成されたフェロシアニドの一部は、第２電極１６４に拡散できる。
【００６５】
数式５の分子として、４．１５秒の電流値を用いた。第３過渡電流から他の電流値を選択することができるが、第３過渡電流の開始方向の電流値が好ましい。第３過渡電流時間期間Ｔ３時、還元された媒介物質は第１電極１６６で酸化される。第２過渡電流時間期間Ｔ２時に測定した電流値は、第１電極１６６で試薬層７２により生成されたフェロシアニドに起因した。したがって、第１電極１６６が試薬層７２で被膜されていたため、フェロシアニドの大部分は第１電極１６６に近くなることから第３過渡電流の電流値は、第２過渡電流より大きくなる。更に、第３過渡電流はグルコース試験の後の方で発生し、より多くのフェロシアニドが生成されることから、第３過渡電流は第２過渡電流より大きくなる。このため、数式５で示した比の絶対値は、測定時におけるグルコース反応の完了までほど遠い場合は、大きくなる。
【００６６】
図１０は、各種ヘマトクリットレベルを有する血液サンプルと対照溶液に対する消費された基質の百分率と反応残余指数の非線形な関係を示すグラフである（ダイヤモンド形＝ヘマトクリットレベル２５％の血液、正方形＝４２％の血液、三角形＝ヘマトクリットレベル６０％の血液、ｘ＝対照溶液）。このグラフは、所定のサンプルの種類／ヘマトクリット値において、消費された基質の百分率が低い場合、反応残余指数は比較的に高く、消費された基質の百分率が高い場合、反応残余指数は比較的に低いことを示す。消費された基質の百分率は、
2007271623.tif 000008
から導き出され、Ｃｏは電極表面における基質濃度、ＹＳＩは標準的な基準技術を用いた基質濃度である。Ｃｏは以下の数式６を用いて導き出す。
【数６】
2007271623.tif 000009
【００６７】
ここで、Ｌは第１電極１６６と第２電極１６４の間の距離であり、Ｆはファラデー定数、Ａは第１電極１６６の面積で、Ｄは拡散係数である。
【００６８】
図１１は、複数の血液サンプル（ＢＬ）及び対照溶液サンプル（ＣＳ）における干渉物質指数と反応残余指数の関係を示すグラフである。干渉物質指数をＸ軸に、反応残余指数をＹ軸にとると、血液と対照溶液を判別して観察できる。サンプルが対照溶液か血液かを決定する判別線を導出できる。本実施の形態において、干渉物質指数は
2007271623.tif 000010
であり、反応残余指数は、
2007271623.tif 000011
である。
【００６９】
ここで、反応残余指数のために選択した電流値の時間（例えば、４．１５、３．８）は、実験により発見されたことに留意されたい。多くの電流比を評価して血液と対照溶液サンプルを判別できるようにした。数式５に示した比は、血液と対照溶液のサンプルを十分に差別化することを発見したために選択した。
【００７０】
試験用計器が、サンプルが対照溶液か血液かを決定できるように判別線を導き出した。試験した対照溶液のサンプル全てに対し、反応残余指数に対する干渉物質指数の関係をグラフにした。次に、線形回帰を用いて対照溶液サンプルに関する線を算出した。この線に対応する数式を算出した後、各データポイントとこの線に対する垂直方向のバイアスを算出した。この垂直方向のバイアスは、一般的に算出する縦方向のバイアスとは異なり、データポイントの線に対する最短距離を表す。垂直方向のバイアス（ＳＤｐｅｒｐ）全てに対して標準偏差を決定した。最後に、線を、血液グループに関するデータポイントの方向に３＊ＳＤｐｅｒｐ単位シフトする。この理由は、対照溶液グループのデータには、バラツキがほとんど示されないため、対照溶液グループの「９９％信頼性限界」がよく定義されるためである。
【００７１】
本明細書記載の方法において、試験用計器は、この反応残余指数及び干渉物質指数の統計的分析から得られた情報を用いて血液サンプルから対照溶液を判別できる。試験用計器は、干渉物質指数及び反応残余指数を算出し、導き出した判別線（又は判別線を表す数式）と共にこれらの値を用いて、血液サンプルから対照溶液を判別可能となる。
【実施例１】
【００７２】
対照流体の調合について以下に開示する。調合した対照流体を用いて実験を行い、図７から図１１に示すデータを生成した。
シトラコン酸緩衝剤成分  ０．０８３３ｇ  
シトラコン酸二カリウム緩衝剤成分  １．９３１ｇ  
メチルパラベン保存剤  ０．０５０ｇ  
Ｇｅｒｍａｌ  ＩＩ  保存剤  ０．４００ｇ  
Ｄｅｘｔｒａｎ  Ｔ−５００  粘度変性剤  ３．０００ｇ  
Ｐｌｕｒｏｎｉｃ  ２５Ｒ２  ウィッキング剤  ０．０５０ｇ  
１−［（６−メトキシ−４−スルホ−ｍ−トリル）アゾ］−２−ナフトル−６−スルホン酸二ナトリウム塩  色素  （ＦＤ＆Ｃ  Ｂｌｕｅ  Ｎｏ．１）  ０．１００ｇ  
Ｄ−グルコース検体  ５０、１２０又は５２５ｍｇ  
脱イオン水溶剤  １００ｇ  
【００７３】
先ず、シトラコン酸緩衝剤（ｐＨ６．５±０．１）を所要量のシトラコン酸およびシトラコン酸二カリウムを脱イオン水中に溶解することにより調製した。次に、メチル・パラベンを加えて、この溶液を当該保存剤が完全に溶解するまで攪拌した。続いて、Ｄｅｘｔｒａｎ  Ｔ−５００、Ｇｅｒｍａｌ  ＩＩ、Ｐｌｕｒｏｎｉｃ  ２５Ｒ２および１−［（６−メトキシ−４−スルホ−ｍ−トリル）アゾ］−２−ナフトール−６−スルホン酸二ナトリウム塩を連続的に加えた後に、それぞれ添加した薬品を完全に溶かした。この時点において、この対照流体のｐＨ値を確かめてから、所要量のグルコースを加えて、低量の、通常量の、又は高いグルコースレベルの対照流体をそれぞれ得た。上記のグルコースを完全に溶かした後に、各対照流体を一晩にわたり室温において放置した。最後に、各グルコース濃度をＹｅｌｌｏｗ  Ｓｐｒｉｎｇｓ  Ｉｎｓｔｒｕｍｅｎｔ社により製造されている分析装置（Ｍｏｄｅｌ  ２７００  Ｓｅｌｅｃｔ  Ｂｉｏｃｈｅｍｉｓｔｒｙ  Ａｎａｌｙｚｅｒ）により確かめた。この対照溶液で使用した色素は青色で、使用者が対照溶液と通常赤色の血液とを混同する可能性が減少した。
【００７４】
当業者であれば、上記の実施の形態に基づき、本発明の更なる特長及び利点を想起できであろう。したがって、本発明は、添付された請求項により示された内容以外の、具体的に示された、又は記載された内容に限定されることはない。本明細書に記載された全ての刊行物及び参考文献は、ここに本明細書の一部を構成するものとしてその内容を援用する。
【図面の簡単な説明】
【００７５】
本発明の新規な特長について、添付の特許請求の範囲に詳細に記載する。本発明の特長及び利点は、本発明の原理を用いた例示された実施の形態に記載される詳細な説明及び添付の図面を参照してより理解される。
【図１Ａ】本明細書記載の方法で用いる代表的な組立済み試験片の斜視図。
【図１Ｂ】図１Ａに示した試験片の分解斜視図。
【図１Ｃ】図１Ａに示した試験片近端部分の拡大斜視図。
【図２】図１Ａに示した試験片の底面図。
【図３】図１Ａに示した試験片の側面図。
【図４Ａ】図１Ａに示した試験片の上面図。
【図４Ｂ】図４Ａに示した試験片における近端部分の４Ａ−４Ａ矢視拡大側面図。
【図５】試験片の一部と電気的に接続する試験用計器の簡略図。
【図６】試験用計器が所定の時間期間で連続して印加する開回路電位と試験電位の電位波形の例。
【図７】対照溶液サンプル（ＣＳ、点線）及び血液サンプル（ＢＬ、実線）を付着した試験片に対して図６の電位波形を印加してする試験用計器により生成された過渡電流を示すグラフ。
【図８】対照溶液、血漿、ヘマトクリット値が４８％の血液サンプル、及びヘマトクリット値が７７％の血液サンプルに２０ｍＶの電位を印加した場合の、０．２秒及び０．５秒の電流値の合計値を示すグラフ。
【図９】対照溶液（ＣＳ）及び血液（Ｂ）の第１試験過渡電流及び第２試験過渡電流を示す図７の拡大図。
【図１０】各種ヘマトクリットレベルを有する血液サンプルと対照溶液に対する消費された基質の百分率と反応残余指数の非線形な関係を示すグラフ（ダイヤモンド形＝ヘマトクリットレベル２５％の血液、正方形＝４２％の血液、三角形＝ヘマトクリットレベル６０％の血液、ｘ＝対照溶液）。
【図１１】複数の血液サンプル（ダイヤモンド形）及び対照溶液サンプル（正方形）における干渉物質指数と反応残余指数の関係を示すグラフ。
【符号の説明】
【００７６】
６１  反応チャンバ
６２  試験片
１００  試験用計器
１６６  第１電極
１６４  第２電極
【図１Ａ】
2007271623.tif 000012
【図１Ｂ】
2007271623.tif 000013
【図１Ｃ】
2007271623.tif 000014
【図２】
2007271623.tif 000015
【図３】
2007271623.tif 000016
【図４Ａ】
2007271623.tif 000017
【図４Ｂ】
2007271623.tif 000018
【図５】
2007271623.tif 000019
【図６】
2007271623.tif 000020
【図７】
2007271623.tif 000021
【図８】
2007271623.tif 000022
【図９】
2007271623.tif 000023
【図１０】
2007271623.tif 000024
【図１１】
2007271623.tif 000025
【外国語明細書】
2007271623.tif 000026
2007271623.tif 000027
2007271623.tif 000028
2007271623.tif 000029
2007271623.tif 000030
2007271623.tif 000031
2007271623.tif 000032
2007271623.tif 000033
2007271623.tif 000034
2007271623.tif 000035
2007271623.tif 000036
2007271623.tif 000037
2007271623.tif 000038
2007271623.tif 000039
2007271623.tif 000040
2007271623.tif 000041
2007271623.tif 000042
2007271623.tif 000043
2007271623.tif 000044
2007271623.tif 000045
2007271623.tif 000046
2007271623.tif 000047
2007271623.tif 000048
2007271623.tif 000049
2007271623.tif 000050
2007271623.tif 000051
2007271623.tif 000052